(57)【要約】  本発明は、ビデオ異常情報注意方法および装置に関する。前記方法は、ビデオ情報を取得するステップと、前記ビデオ情報に異常顔情報あるいは危険物情報が含まれているかどうかを判断するステップと、前記ビデオ情報に異常顔情報あるいは危険物情報が含まれている場合、ビデオ情報に異常があることを示す注意情報を出力するステップとを含む。これにより、異常人物あるいは危険物がビデオ画面に出現するとき、ユーザへ異常注意を促すことができるため、ユーザが異常状況を直ちに把握することができる。【選択図】図２
2017531927.tif 000002
【特許請求の範囲】
【請求項１】
ビデオ情報を取得するステップと、
前記ビデオ情報に異常顔情報あるいは危険物情報が含まれているかどうかを判断するステップと、
前記ビデオ情報に異常顔情報あるいは危険物情報が含まれている場合、ビデオ情報に異常があることを示す注意情報を出力するステップと、を含むことを特徴とするビデオ異常情報注意方法。
【請求項２】
前記ビデオ情報は、撮像機器がリアルタイムで撮影するものであることを特徴とする請求項１に記載のビデオ異常情報注意方法。
【請求項３】
前記ビデオ情報に異常顔情報あるいは危険物情報が含まれているかどうかを判断するステップは、
異物特徴情報を前記ビデオ情報から抽出するステップと、
抽出された異物特徴情報が顔特徴情報であるかどうかを判断するステップと、
抽出された異物特徴情報が顔特徴情報である場合、抽出された異物特徴情報が、安全な人の顔を表すための所定の顔情報にマッチするかどうかを判断するステップと、
抽出された異物特徴情報が前記所定の顔情報にマッチした場合、前記ビデオ情報に異常顔情報が含まれていないと特定するステップと、
抽出された異物特徴情報が前記所定の顔情報にマッチしなかった場合、前記ビデオ情報に異常顔情報が含まれていると特定するステップと、
抽出された異物特徴情報が顔特徴情報ではない場合、抽出された異物特徴情報が所定の危険物情報にマッチするかどうかを判断するステップと、
抽出された異物特徴情報が前記所定の危険物情報にマッチしなかった場合、前記ビデオ情報に危険物情報が含まれていないと特定するステップと、
抽出された異物特徴情報が前記所定の危険物情報にマッチした場合、前記ビデオ情報に危険物情報が含まれていると特定するステップと、を含むことを特徴とする請求項１に記載のビデオ異常情報注意方法。
【請求項４】
前記ビデオ情報に異常顔情報あるいは危険物情報が含まれているかどうかを判断するステップは、
異物特徴情報を前記ビデオ情報から抽出するステップと、
抽出された異物特徴情報が顔特徴情報であるかどうかを判断するステップと、
抽出された異物特徴情報が顔特徴情報である場合、抽出された異物特徴情報が、危険な人の顔を表すための所定の顔情報にマッチするかどうかを判断するステップと、
抽出された異物特徴情報が前記所定の顔情報にマッチしなかった場合、前記ビデオ情報に異常顔情報が含まれていないと特定するステップと、
抽出された異物特徴情報が前記所定の顔情報にマッチした場合、前記ビデオ情報に異常顔情報が含まれていると特定するステップと、
抽出された異物特徴情報が顔特徴情報ではない場合、抽出された異物特徴情報が所定の危険物情報にマッチするかどうかを判断するステップと、
抽出された異物特徴情報が前記所定の危険物情報にマッチしなかった場合、前記ビデオ情報に危険物情報が含まれていないと特定するステップと、
抽出された異物特徴情報が前記所定の危険物情報にマッチした場合、前記ビデオ情報に危険物情報が含まれていると特定するステップと、を含むことを特徴とする請求項１に記載のビデオ異常情報注意方法。
【請求項５】
前記ビデオ情報に異常顔情報あるいは危険物情報が含まれているかどうかを判断するステップは、
所定時間帯内で、異物特徴情報を前記ビデオ情報から抽出するステップと、
抽出された異物特徴情報が顔特徴情報であるかどうかを判断するステップと、
抽出された異物特徴情報が顔特徴情報である場合、前記ビデオ情報に異常顔情報が含まれていると特定するステップと、
抽出された異物特徴情報が顔特徴情報ではない場合、抽出された異物特徴情報が所定の危険物情報にマッチするかどうかを判断するステップと、
抽出された異物特徴情報が前記所定の危険物情報にマッチしなかった場合、前記ビデオ情報に異常顔情報および危険物情報が含まれていないと特定するステップと、
抽出された異物特徴情報が前記所定の危険物情報にマッチした場合、前記ビデオ情報に危険物情報が含まれていると特定するステップと、を含むことを特徴とする請求項１に記載のビデオ異常情報注意方法。
【請求項６】
前記所定の顔情報あるいは前記所定の危険物情報は、写真撮り装置が撮影したピクチャから取得されたものであり、または、
前記所定の顔情報あるいは前記所定の危険物情報は、ピクチャライブラリにおけるピクチャから取得されたものであることを特徴とする請求項３乃至５のうちのいずれか一項に記載のビデオ異常情報注意方法。
【請求項７】
前記注意情報を出力するステップは、
前記ビデオ情報に含まれる異常顔情報あるいは危険物情報を表示するステップを含むことを特徴とする請求項１に記載のビデオ異常情報注意方法。
【請求項８】
ユーザ機器に用いられるビデオ異常情報注意方法であって、
注意情報を受信するステップと、
前記注意情報に基づいて注意を促すステップと、を含み、
前記注意情報は、
ビデオ情報を取得し、
前記ビデオ情報に異常顔情報あるいは危険物情報が含まれているかどうかを判断し、且つ、
前記ビデオ情報に異常顔情報あるいは危険物情報が含まれている場合、ビデオ情報に異常があることを示す前記注意情報を出力することで取得されたことを特徴とするビデオ異常情報注意方法。
【請求項９】
ビデオ情報を取得するための取得モジュールと、
前記ビデオ情報に異常顔情報あるいは危険物情報が含まれているかどうかを判断するための判断モジュールと、
前記ビデオ情報に異常顔情報あるいは危険物情報が含まれている場合、ビデオ情報に異常があることを示す注意情報を出力するための出力モジュールと、を備えることを特徴とするビデオ異常情報注意装置。
【請求項１０】
前記ビデオ情報は、撮像機器がリアルタイムで撮影するものであることを特徴とする請求項９に記載のビデオ異常情報注意装置。
【請求項１１】
前記判断モジュールは、
異物特徴情報を前記ビデオ情報から抽出するための第１の抽出サブモジュールと、
抽出された異物特徴情報が顔特徴情報であるかどうかを判断するための第１の判断サブモジュールと、
抽出された異物特徴情報が顔特徴情報である場合、抽出された異物特徴情報が安全な人の顔を表すための所定の顔情報にマッチするかどうかを判断するための第２の判断サブモジュールと、
抽出された異物特徴情報が前記所定の顔情報にマッチした場合、前記ビデオ情報に異常顔情報が含まれていないと特定するための第１の異常顔情報特定サブモジュールと、
抽出された異物特徴情報が前記所定の顔情報にマッチしなかった場合、前記ビデオ情報に異常顔情報が含まれていると特定するための第２の異常顔情報特定サブモジュールと、
抽出された異物特徴情報が顔特徴情報ではない場合、抽出された異物特徴情報が所定の危険物情報にマッチするかどうかを判断するための第３の判断サブモジュールと、
抽出された異物特徴情報が前記所定の危険物情報にマッチしなかった場合、前記ビデオ情報に危険物情報が含まれていないと特定するための第１の危険物情報特定サブモジュールと、
抽出された異物特徴情報が前記所定の危険物情報にマッチした場合、前記ビデオ情報に危険物情報が含まれていると特定するための第２の危険物情報特定サブモジュールと、を備えることを特徴とする請求項９に記載のビデオ異常情報注意装置。
【請求項１２】
前記判断モジュールは、
異物特徴情報を前記ビデオ情報から抽出するための第２の抽出サブモジュールと、
抽出された異物特徴情報が顔特徴情報であるかどうかを判断するための第４の判断サブモジュールと、
抽出された異物特徴情報が顔特徴情報である場合、抽出された異物特徴情報が危険な人の顔を表すための所定の顔情報にマッチするかどうかを判断するための第５の判断サブモジュールと、
抽出された異物特徴情報が前記所定の顔情報にマッチしなかった場合、前記ビデオ情報に異常顔情報が含まれていないと特定するための第３の異常顔情報特定サブモジュールと、
抽出された異物特徴情報が前記所定の顔情報にマッチした場合、前記ビデオ情報に異常顔情報が含まれていると特定するための第４の異常顔情報特定サブモジュールと、
抽出された異物特徴情報が顔特徴情報ではない場合、抽出された異物特徴情報が所定の危険物情報にマッチするかどうかを判断するための第６の判断サブモジュールと、
抽出された異物特徴情報が前記所定の危険物情報にマッチしなかった場合、前記ビデオ情報に危険物情報が含まれていないと特定するための第３の危険物情報特定サブモジュールと、
抽出された異物特徴情報が前記所定の危険物情報にマッチした場合、前記ビデオ情報に危険物情報が含まれていると特定するための第４の危険物情報特定サブモジュールと、を備えることを特徴とする請求項９に記載のビデオ異常情報注意装置。
【請求項１３】
前記判断モジュールは、
所定時間帯内で、異物特徴情報を前記ビデオ情報から抽出するための第３の抽出サブモジュールと、
抽出された異物特徴情報が顔特徴情報であるかどうかを判断するための第７の判断サブモジュールと、
抽出された異物特徴情報が顔特徴情報である場合、前記ビデオ情報に異常顔情報が含まれていると特定するための第５の異常顔情報特定サブモジュールと、
抽出された異物特徴情報が顔特徴情報ではない場合、抽出された異物特徴情報が所定の危険物情報にマッチするかどうかを判断するための第８の判断サブモジュールと、
抽出された異物特徴情報が前記所定の危険物情報にマッチしなかった場合、前記ビデオ情報に異常顔情報および危険物情報が含まれていないと特定するための第５の危険物情報特定サブモジュールと、
抽出された異物特徴情報が前記所定の危険物情報にマッチした場合、前記ビデオ情報に危険物情報が含まれていると特定するための第６の危険物情報特定サブモジュールと、を備えることを特徴とする請求項９に記載のビデオ異常情報注意装置。
【請求項１４】
前記所定の顔情報あるいは前記所定の危険物情報は、写真撮り装置が撮影したピクチャから取得されたものであり、または、
前記所定の顔情報あるいは前記所定の危険物情報は、ピクチャライブラリにおけるピクチャから取得されたものであることを特徴とする請求項１１乃至１３のうちのいずれか一項に記載のビデオ異常情報注意装置。
【請求項１５】
前記出力モジュールは、
前記ビデオ情報に含まれる異常顔情報あるいは危険物情報を表示するための表示サブモジュールを備えることを特徴とする請求項９に記載のビデオ異常情報注意装置。
【請求項１６】
プロセッサと、
プロセッサの実行可能な指令を記憶するためのメモリと、を備え、
前記プロセッサは、
ビデオ情報を取得し、
前記ビデオ情報に異常顔情報あるいは危険物情報が含まれているかどうかを判断し、
前記ビデオ情報に異常顔情報あるいは危険物情報が含まれている場合、ビデオ情報に異常があることを示す注意情報を出力するように構成されることを特徴とするビデオ異常情報注意装置。
【発明の詳細な説明】
【技術分野】
【０００１】
本発明は、コンピュータ分野に関し、特にビデオ異常情報注意方法および装置に関する。
【背景技術】
【０００２】
通信モジュールを有してネットワークにアクセス可能な撮像装置（例えば、カメラ、ビデオカメラ等）がますます多くなる。こうして、ユーザ端末がネットワークを介して撮像装置と通信接続を確立することができ、撮像装置によって撮影されたビデオ情報を当該端末を介して遠隔に取得することができるため、ユーザに利便性を与える。
【発明の概要】
【発明が解決しようとする課題】
【０００３】
関連技術に存在する問題を克服すべく、本発明は、ビデオ異常情報注意方法および装置を提供する。
【課題を解決するための手段】
【０００４】
本発明の実施例の第１の態様によれば、ビデオ異常情報注意方法を提供する。前記方法は、ビデオ情報を取得するステップと、前記ビデオ情報に異常顔情報あるいは危険物情報が含まれているかどうかを判断するステップと、前記ビデオ情報に異常顔情報あるいは危険物情報が含まれている場合、ビデオ情報に異常があることを示す注意情報を出力するステップと、を含む。
【０００５】
第１の態様の幾つかの可能な実施形態では、前記ビデオ情報は、撮像機器によってリアルタイムに撮影されたものである。
【０００６】
第１の態様の幾つかの可能な実施形態では、前記ビデオ情報に異常顔情報あるいは危険物情報が含まれているかどうかを判断するステップは、異物特徴情報を前記ビデオ情報から抽出するステップと、抽出された異物特徴情報が顔特徴情報であるかどうかを判断するステップと、抽出された異物特徴情報が顔特徴情報である場合、抽出された異物特徴情報が安全な人の顔を表すための所定の顔情報にマッチするかどうかを判断するステップと、前記所定の顔情報、抽出された異物特徴情報が前記所定の顔情報にマッチした場合、前記ビデオ情報に異常顔情報が含まれていないと特定するステップと、抽出された異物特徴情報が前記所定の顔情報にマッチしなかった場合、前記ビデオ情報に異常顔情報が含まれていると特定するステップと、抽出された異物特徴情報が顔特徴情報ではない場合、抽出された異物特徴情報が所定の危険物情報にマッチするかどうかを判断するステップと、抽出された異物特徴情報が前記所定の危険物情報にマッチしなかった場合、前記ビデオ情報に危険物情報が含まれていないと特定するステップと、抽出された異物特徴情報が前記所定の危険物情報にマッチした場合、前記ビデオ情報に危険物情報が含まれていると特定するステップと、を含む。
【０００７】
第１の態様の幾つかの可能な実施形態では、前記ビデオ情報に異常顔情報あるいは危険物情報が含まれているかどうかを判断するステップは、異物特徴情報を前記ビデオ情報から抽出するステップと、抽出された異物特徴情報が顔特徴情報であるかどうかを判断するステップと、抽出された異物特徴情報が顔特徴情報である場合、抽出された異物特徴情報が危険な人の顔を表すための所定の顔情報にマッチするかどうかを判断するステップと、抽出された異物特徴情報が前記所定の顔情報にマッチしなかった場合、前記ビデオ情報に異常顔情報が含まれていないと特定するステップと、抽出された異物特徴情報が前記所定の顔情報にマッチした場合、前記ビデオ情報に異常顔情報が含まれていると特定するステップと、抽出された異物特徴情報が顔特徴情報ではない場合、抽出された異物特徴情報が所定の危険物情報にマッチするかどうかを判断するステップと、抽出された異物特徴情報が前記所定の危険物情報にマッチしなかった場合、前記ビデオ情報に危険物情報が含まれていないと特定するステップと、抽出された異物特徴情報が前記所定の危険物情報にマッチした場合、前記ビデオ情報に危険物情報が含まれていると特定するステップと、を含む。
【０００８】
第１の態様の幾つかの可能な実施形態では、前記ビデオ情報に異常顔情報あるいは危険物情報が含まれているかどうかを判断するステップは、所定時間帯内で、異物特徴情報を前記ビデオ情報から抽出するステップと、抽出された異物特徴情報が顔特徴情報であるかどうかを判断するステップと、抽出された異物特徴情報が顔特徴情報である場合、前記ビデオ情報に異常顔情報が含まれていると特定するステップと、抽出された異物特徴情報が顔特徴情報ではない場合、抽出された異物特徴情報が所定の危険物情報にマッチするかどうかを判断するステップと、抽出された異物特徴情報が前記所定の危険物情報にマッチしなかった場合、前記ビデオ情報に異常顔情報および危険物情報が含まれていないと特定するステップと、抽出された異物特徴情報が前記所定の危険物情報にマッチした場合、前記ビデオ情報に危険物情報が含まれていると特定するステップと、を含む。
【０００９】
第１の態様の幾つかの可能な実施形態では、前記所定の顔情報あるいは前記所定の危険物情報は、写真撮り装置が撮影したピクチャから取得されたものであり、または、前記所定の顔情報あるいは前記所定の危険物情報は、ピクチャライブラリにおけるピクチャから取得されたものである。
【００１０】
第１の態様の幾つかの可能な実施形態では、前記注意情報を出力するステップは、前記ビデオ情報に含まれる異常顔情報あるいは危険物情報を表示するステップを含む。
【００１１】
本発明の実施例の第２の態様によれば、ユーザ機器に用いられるビデオ異常情報注意方法を提供する。前記方法は、注意情報を受信するステップと、前記注意情報に基づいて注意を促すステップと、を含み、前記注意情報は、ビデオ情報を取得し、前記ビデオ情報に異常顔情報あるいは危険物情報が含まれているかどうかを判断し、前記ビデオ情報に異常顔情報あるいは危険物情報が含まれている場合、ビデオ情報に異常があることを示す注意情報を出力することで取得されたものである。
【００１２】
本発明の実施例の第３の態様によれば、ビデオ異常情報注意装置を提供する。前記装置は、ビデオ情報を取得するための取得モジュールと、前記ビデオ情報に異常顔情報あるいは危険物情報が含まれているかどうかを判断するための判断モジュールと、前記ビデオ情報に異常顔情報あるいは危険物情報が含まれている場合、ビデオ情報に異常があることを示す注意情報を出力するための出力モジュールと、を備える。
【００１３】
第３の態様の幾つかの可能な実施形態では、前記ビデオ情報は、撮像機器によってリアルタイムに撮影されたものである。
【００１４】
第３の態様の幾つかの可能な実施形態では、前記判断モジュールは、異物特徴情報を前記ビデオ情報から抽出するための第１の抽出サブモジュールと、抽出された異物特徴情報が顔特徴情報であるかどうかを判断するための第１の判断サブモジュールと、抽出された異物特徴情報が顔特徴情報である場合、抽出された異物特徴情報が安全な人の顔を表すための所定の顔情報にマッチするかどうかを判断するための第２の判断サブモジュールと、抽出された異物特徴情報が前記所定の顔情報にマッチした場合、前記ビデオ情報に異常顔情報が含まれていないと特定するための第１の異常顔情報特定サブモジュールと、抽出された異物特徴情報が前記所定の顔情報にマッチしなかった場合、前記ビデオ情報に異常顔情報が含まれていると特定するための第２の異常顔情報特定サブモジュールと、抽出された異物特徴情報が顔特徴情報ではない場合、抽出された異物特徴情報が所定の危険物情報にマッチするかどうかを判断するための第３の判断サブモジュールと、抽出された異物特徴情報が前記所定の危険物情報にマッチしなかった場合、前記ビデオ情報に危険物情報が含まれていないと特定するための第１の危険物情報特定サブモジュールと、抽出された異物特徴情報が前記所定の危険物情報にマッチした場合、前記ビデオ情報に危険物情報が含まれていると特定するための第２の危険物情報特定サブモジュールと、を備える。
【００１５】
第３の態様の幾つかの可能な実施形態では、前記判断モジュールは、異物特徴情報を前記ビデオ情報から抽出するための第２の抽出サブモジュールと、抽出された異物特徴情報が顔特徴情報であるかどうかを判断するための第４の判断サブモジュールと、抽出された異物特徴情報が顔特徴情報である場合、抽出された異物特徴情報が危険な人の顔を表すための所定の顔情報にマッチするかどうかを判断するための第５の判断サブモジュールと、抽出された異物特徴情報が前記所定の顔情報にマッチしなかった場合、前記ビデオ情報に異常顔情報が含まれていないと特定するための第３の異常顔情報特定サブモジュールと、抽出された異物特徴情報が前記所定の顔情報にマッチした場合、前記ビデオ情報に異常顔情報が含まれていると特定するための第４の異常顔情報特定サブモジュールと、抽出された異物特徴情報が顔特徴情報ではない場合、抽出された異物特徴情報が所定の危険物情報にマッチするかどうかを判断するための第６の判断サブモジュールと、抽出された異物特徴情報が前記所定の危険物情報にマッチしなかった場合、前記ビデオ情報に危険物情報が含まれていないと特定するための第３の危険物情報特定サブモジュールと、抽出された異物特徴情報が前記所定の危険物情報にマッチした場合、前記ビデオ情報に危険物情報が含まれていると特定するための第４の危険物情報特定サブモジュールと、を備える。
【００１６】
第３の態様の幾つかの可能な実施形態では、前記判断モジュールは、所定時間帯内で、異物特徴情報を前記ビデオ情報から抽出するための第３の抽出サブモジュールと、抽出された異物特徴情報が顔特徴情報であるかどうかを判断するための第７の判断サブモジュールと、抽出された異物特徴情報が顔特徴情報である場合、前記ビデオ情報に異常顔情報が含まれていると特定するための第５の異常顔情報特定サブモジュールと、抽出された異物特徴情報が顔特徴情報ではない場合、抽出された異物特徴情報が所定の危険物情報にマッチするかどうかを判断するための第８の判断サブモジュールと、抽出された異物特徴情報が前記所定の危険物情報にマッチしなかった場合、前記ビデオ情報に異常顔情報および危険物情報が含まれていないと特定するための第５の危険物情報特定サブモジュールと、抽出された異物特徴情報が前記所定の危険物情報にマッチした場合、前記ビデオ情報に危険物情報が含まれていると特定するための第６の危険物情報特定サブモジュールと、を備える。
【００１７】
第３の態様の幾つかの可能な実施形態では、前記所定の顔情報あるいは前記所定の危険物情報は、写真撮り装置が撮影したピクチャから取得されたものであり、または、前記所定の顔情報あるいは前記所定の危険物情報は、ピクチャライブラリにおけるピクチャから取得されたものである。
【００１８】
第３の態様の幾つかの可能な実施形態では、前記出力モジュールは、前記ビデオ情報に含まれる異常顔情報あるいは危険物情報を表示するための表示サブモジュールを備える。
【００１９】
本発明の実施例の第４の態様によれば、ビデオ異常情報注意装置を提供する。前記装置は、プロセッサと、プロセッサの実行可能な指令を記憶するためのメモリと、を備え、前記プロセッサは、ビデオ情報を取得し、前記ビデオ情報に異常顔情報あるいは危険物情報が含まれているかどうかを判断し、前記ビデオ情報に異常顔情報あるいは危険物情報が含まれている場合、ビデオ情報に異常があることを示す注意情報を出力するように構成される。
【発明の効果】
【００２０】
本発明の実施例に供される技術案は、以下の格別な作用効果を奏することができる。
【００２１】
ビデオ情報を取得し、当該ビデオ情報に異常顔情報あるいは危険物情報が含まれているかどうかを判断し、ビデオ情報に異常顔情報あるいは危険物情報が含まれている場合、ビデオ情報に異常があることを示す注意情報を出力することで、異常人物あるいは危険物がビデオ画面に出現するとき、ユーザへ異常注意を促すことができるため、ユーザが異常状況を直ちに把握することができる。
【００２２】
以上の一般的な記述および後述する詳細な説明は、例示的や解釈的なものであり、本発明を制限するためのものでないことは、理解されるべきである。
【図面の簡単な説明】
【００２３】
ここでの図面は、明細書を構成する一部として見なされ、本発明に適した実施例を示し、かつ、明細書の文字記載とともに本発明の仕組みを解釈するために用いられる。
【図１Ａ】一実施例による実施環境を示す構造模式図である。
【図１Ｂ】別の実施例による実施環境を示す構造模式図である。
【図２】一実施例によるビデオ異常情報注意方法を示すフローチャートである。
【図３】別の実施例によるビデオ異常情報注意方法を示すフローチャートである。
【図４Ａ】図３に示すビデオ異常情報注意方法を実施する際におけるシーン模式図である。
【図４Ｂ】図３に示すビデオ異常情報注意方法を実施する際におけるシーン模式図である。
【図４Ｃ】図３に示すビデオ異常情報注意方法を実施する際におけるシーン模式図である。
【図５Ａ】図３に示すビデオ異常情報注意方法を実施する際における別のシーン模式図である。
【図５Ｂ】図３に示すビデオ異常情報注意方法を実施する際における別のシーン模式図である。
【図５Ｃ】図３に示すビデオ異常情報注意方法を実施する際における別のシーン模式図である。
【図６】別の実施例によるビデオ異常情報注意方法を示すフローチャートである。
【図７Ａ】図６に示すビデオ異常情報注意方法を実施する際におけるシーン模式図である。
【図７Ｂ】図６に示すビデオ異常情報注意方法を実施する際におけるシーン模式図である。
【図７Ｃ】図６に示すビデオ異常情報注意方法を実施する際におけるシーン模式図である。
【図８】別の実施例によるビデオ異常情報注意方法を示すフローチャートである。
【図９】別の実施例によるビデオ異常情報注意方法を示すフローチャートである。
【図１０】一実施例によるビデオ異常情報注意方法を示すフローチャートである。
【図１１】一実施例によるビデオ異常情報注意装置を示すブロック図である。
【図１２】別の実施例によるビデオ異常情報注意装置を示すブロック図である。
【図１３】別の実施例によるビデオ異常情報注意装置を示すブロック図である。
【図１４】別の実施例によるビデオ異常情報注意装置を示すブロック図である。
【図１５】別の実施例によるビデオ異常情報注意装置を示すブロック図である。
【図１６】一実施例によるビデオ異常情報注意装置を示すブロック図である。
【発明を実施するための形態】
【００２４】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００２５】
図１Ａは、一実施例による実施環境を示す構造模式図である。図１Ａに示すように、当該実施環境は、撮像機器１１０とユーザ端末１２０とを備えてもよい。撮像機器１１０は、ネットワークを介してユーザ端末１２０と接続し、ネットワークを介してユーザ端末１２０と通信することができる。当該ネットワークは、例えば、ＷｉＦｉ（Ｗｉｒｅｌｅｓｓ Ｆｉｄｅｌｉｔｙ、無線忠実度）、２Ｇ、３Ｇ、４Ｇ等のネットワークを含んでもよいが、それらに限定されない。
【００２６】
撮像機器１１０は、記憶機能および処理機能を有するスマートビデオカメラあるいはスマートカメラヘッドであってもよいし、または、撮像機器１１０は、カメラヘッドと、カメラヘッドに接続され、カメラヘッドで撮影されたビデオ情報を記憶や処理するためのサーバとを備えてもよい。図１Ａに、撮像機器１１０がスマートカメラヘッドであることを例として示す。
【００２７】
ユーザ端末１２０は、スマートフォン、タブレットＰＣ、ＰＣ機、ノートパソコン等であってもよい。当該ユーザ端末１２０がネットワークを介して撮像機器１１０で撮影されたビデオ情報を取得できるため、遠隔ビデオ監視を実施可能である。図１Ａに、ユーザ端末１２０がスマートフォンであることを例として示す。
【００２８】
図１Ｂは、別の実施例による実施環境を示す構造模式図である。図１Ｂに示すように、当該実施環境は、撮像機器１１０と、ユーザ端末１２０と、ウェアラブル機器１３０とを備えてもよい。
【００２９】
撮像機器１１０は、ネットワークを介してユーザ端末１２０と接続し、ネットワークを介してユーザ端末１２０と通信することができる。当該ネットワークは、例えば、ＷｉＦｉ（Ｗｉｒｅｌｅｓｓ Ｆｉｄｅｌｉｔｙ、無線忠実度）、２Ｇ、３Ｇ、４Ｇ等のネットワークを含んでもよいが、それらに限定されない。
【００３０】
撮像機器１１０は、記憶機能および処理機能を有するスマートビデオカメラあるいはスマートカメラヘッドであってもよいし、または、撮像機器１１０は、カメラヘッドと、カメラヘッドに接続され、カメラヘッドで撮影されたビデオ情報を記憶や処理するためのサーバとを備えてもよい。図１Ｂに、撮像機器１１０がスマートカメラヘッドであることを例として示す。
【００３１】
ユーザ端末１２０は、スマートフォン、タブレットＰＣ、ＰＣ機、ノートパソコン等であってもよい。当該ユーザ端末１２０がネットワークを介して撮像機器１１０で撮影されたビデオ情報を取得できるため、遠隔ビデオ監視を実施可能である。図１Ｂに、ユーザ端末１２０がスマートフォンであることを例として示す。
【００３２】
ウェアラブル機器１３０は、例えば、スマートブレスレット、スマートウォッチ、スマート指輪、スマート手袋およびスマートアバレル等の機器であってもよい。ウェアラブル機器１３０は、ユーザ端末１２０と通信することができる。ウェアラブル機器１３０とユーザ端末１２０との間は、バインディング関係を予め確立してもよい。ユーザ端末１２０は、例えば、ブルートゥース技術、ＷｉＦｉ技術、ＺｉｇＢｅｅ技術等の各種の有線あるいは無線通信技術により、ウェアラブル機器１３０と接続してもよい。ウェアラブル機器１３０およびユーザ端末１２０の消費電力を低減するために、好ましくは、ユーザ端末１２０とウェアラブル機器１３０が低消費電力ブルートゥース技術により接続される。図１Ｂに、ウェアラブル機器１３０をスマートブレスレットとして示す。
【００３３】
ウェアラブル機器１３０がユーザ端末１２０と通信することが図１Ｂに示されたが、他の可能な実施形態では、ウェアラブル機器１３０は、直接撮像機器１１０と通信して、撮像機器１１０で撮影されたビデオ情報を取得し、記憶して処理してもよい。
【００３４】
本発明では、ウェアラブル機器１３０とユーザ端末１２０が 「ユーザ機器」と総称されてもよい。
【００３５】
図２は、一実施例によるビデオ異常情報注意方法を示すフローチャートである。図２に示すように、当該方法は、以下のステップを含んでもよい。
【００３６】
ステップＳ２０１では、ビデオ情報を取得する。
【００３７】
本発明では、例えば、図１Ａと図１Ｂに示す撮像機器１１０を介してビデオ情報を撮影してもよい。当該方法は、撮像機器（例えば、図１Ａと図１Ｂに示す撮像機器１１０）、ユーザ端末（例えば、図１Ａと図１Ｂに示すユーザ端末１２０）、および、ウェアラブル機器（例えば、図１Ｂに示すウェアラブル機器１３０）のうちの少なくとも１つに適用可能である。当該方法がユーザ端末に用いられる場合、ユーザ端末は、ビデオ情報を撮影する撮像機器から当該ビデオ情報を取得してもよい。当該方法がウェアラブル機器に用いられる場合、ウェアラブル機器は、ビデオ情報を撮影する撮像機器から当該ビデオ情報を直接取得し、または、当該ウェアラブル機器に接続されたユーザ端末を介して、ビデオ情報を撮影する撮像機器から当該ビデオ情報を取得してもよい。
【００３８】
ステップＳ２０２では、ビデオ情報に異常顔情報あるいは危険物情報が含まれているかどうかを判断する。本発明では、異常顔情報は、異常な顔とユーザによって定義された情報を表してもよく、任意の顔の情報を含んでもよいし、危険な人の顔の情報を含んでもよい。危険物情報は、危険物とユーザによって定義された情報を表してもよい。ただし、前記危険物は、例えば、銃器、弾薬、匕首、裸火等のうちの少なくとも１つを含んでもよいが、それらに限定されない。
【００３９】
ステップＳ２０３では、ビデオ情報に異常顔情報あるいは危険物情報が含まれている場合、ビデオ情報に異常があることを示す注意情報を出力する。
【００４０】
上述した通り、当該方法は、撮像機器、ユーザ端末、ウェアラブル機器のうちの少なくとも１つに適用可能である。こうして、それぞれ撮像機器自身、ユーザ端末自身あるいはウェアラブル機器自身を介して注意情報を出力して、ビデオ情報異常注意を促すことができる。
【００４１】
このように、ビデオ情報を取得し、ビデオ情報に異常顔情報あるいは危険物情報が含まれているかどうかを判断し、且つビデオ情報に異常顔情報あるいは危険物情報が含まれている場合、ビデオ情報に異常があることを示す注意情報を出力することで、異常人物あるいは危険物がビデオ画面に出現するとき、ユーザへ異常注意を促すことができるため、ユーザが異常状況を直ちに把握することができる。
【００４２】
好ましくは、ある実施形態では、当該方法が撮像機器に用いられるとき、前記ビデオ情報に異常顔情報あるいは危険物情報が含まれている場合、注意情報を出力するステップ（即ち、ステップＳ２０３）は、ビデオ情報に異常顔情報あるいは危険物情報が含まれている場合、注意情報をユーザ端末あるいはウェアラブル機器へ出力するステップを含んでもよい。これにより、ユーザ端末あるいはウェアラブル機器を介してビデオ情報異常注意を促すことができ、ユーザのビデオ異常に対する遠隔監視が便利になる。
【００４３】
別の実施形態では、当該方法がユーザ端末に用いられるとき、前記ビデオ情報に異常顔情報あるいは危険物情報が含まれている場合、注意情報を出力するステップ（即ち、ステップＳ２０３）は、ビデオ情報に異常顔情報あるいは危険物情報が含まれている場合、注意情報をウェアラブル機器へ出力するステップを含んでもよい。これにより、ユーザに装着されたウェアラブル機器を介してビデオ情報異常注意を促すことができ、ユーザがユーザ端末を所持していない場合にも、ビデオ監視異常に対する注意を直ちに得ることができる。
【００４４】
本発明では、前記ビデオ情報は、撮像機器（例えば、図１Ａと図１Ｂに示す撮像機器１１０）によってリアルタイムに撮影されたものであってもよい。こうして、ステップＳ２０１では、当該ビデオ情報をリアルタイムに取得可能であるため、ビデオ情報に対するリアルタイムな異常監視が可能となる。
【００４５】
図３は、別の実施例によるビデオ異常情報注意方法を示すフローチャートである。当該方法は、撮像機器（例えば、図１Ａと図１Ｂに示す撮像機器１１０）、ユーザ端末（例えば、図１Ａと図１Ｂに示すユーザ端末１２０）、ウェアラブル機器（例えば、図１Ｂに示すウェアラブル機器１３０）のうちの少なくとも１つに適用可能である。図３に示すように、当該方法は、以下のステップを含んでもよい。
【００４６】
ステップＳ３０１では、ビデオ情報を取得する。当該ステップＳ３０１の実施は、図２にあわせて記述されたステップＳ２０１の実施と同じである。
【００４７】
ステップＳ３０２では、異物特徴情報をビデオ情報から抽出する。例えば、画像特徴抽出技術により異物特徴情報をビデオ情報から抽出してもよい。本発明では、「異物」は、例えば、顔、危険物、および常規物品としてユーザに定義されていない他の物品を含んでもよい。
【００４８】
ステップＳ３０３では、抽出された異物特徴情報が顔特徴情報であるかどうかを判断する。例えば、顔識別技術により、抽出された異物特徴情報が顔特徴情報であるかどうかを判断することができる。
【００４９】
ステップＳ３０４では、抽出された異物特徴情報が顔特徴情報である場合、抽出された異物特徴情報が所定の顔情報にマッチするかどうかを判断する。ただし、前記所定の顔情報は、安全な人の顔を表すために用いられる。
【００５０】
ステップＳ３０５では、抽出された異物特徴情報が前記所定の顔情報にマッチした場合、前記ビデオ情報に異常顔情報が含まれていないと特定する。
【００５１】
ステップＳ３０６では、抽出された異物特徴情報が前記所定の顔情報にマッチしなかった場合、前記ビデオ情報に異常顔情報が含まれていると特定する。
【００５２】
当該実施形態では、ステップＳ３０４での所定の顔情報は、予め設定されてもよく、安全な人の顔を表すための顔情報である。当該所定の顔情報は、「所定の第１の顔情報」と称してもよい。当該所定の第１の顔情報は、１つまたは複数の、安全な人の顔を表す顔情報を含んでもよい。こうして、抽出された異物特徴情報が所定の第１の顔情報にマッチすることは、抽出された異物特徴情報が所定の第１の顔情報のうちの１つにマッチすることを含んでもよい。この場合に、ビデオ情報に異常顔情報が含まれていないと特定する。また、抽出された異物特徴情報が所定の第１の顔情報にマッチしないことは、抽出された異物特徴情報が所定の第１の顔情報のうちのいずれにもマッチしないことを含んでもよい。この場合に、ビデオ情報に異常顔情報が含まれていると特定する。
【００５３】
ステップＳ３０７では、抽出された異物特徴情報が顔特徴情報ではない場合、抽出された異物特徴情報が所定の危険物情報にマッチするかどうかを判断する。
【００５４】
ステップＳ３０８では、抽出された異物特徴情報が所定の危険物情報にマッチしなかった場合、ビデオ情報に危険物情報が含まれていないと特定する。
【００５５】
ステップＳ３０９では、抽出された異物特徴情報が所定の危険物情報にマッチした場合、ビデオ情報に危険物情報が含まれていると特定する。
【００５６】
顔識別技術により、抽出された異物特徴情報が顔特徴情報でないと特定された場合、抽出された異物特徴情報を所定の危険物情報と照合することで、ビデオ情報に危険物情報が含まれているかどうかを特定してもよい。
【００５７】
所定の危険物情報は、１つまたは複数の、危険物を表す危険物情報を含んでもよい。ただし、前記危険物は、例えば、銃器、弾薬、匕首、裸火等を含む。こうして、抽出された異物特徴情報が所定の危険物情報にマッチすることは、抽出された異物特徴情報が所定の危険物情報のうちの１つにマッチすることを含んでもよい。この場合に、ビデオ情報に危険物情報が含まれていると特定する。また、抽出された異物特徴情報が所定の危険物情報にマッチしないことは、抽出された異物特徴情報が所定の危険物情報のうちのいずれにもマッチしないことを含んでもよい。この場合に、ビデオ情報に危険物情報が含まれていないと特定する。
【００５８】
ステップＳ３１０では、ビデオ情報に異常顔情報あるいは危険物情報が含まれている場合、注意情報を出力し、当該注意情報は、ビデオ情報に異常があることを指示するために用いられる。
【００５９】
注意情報を出力する際、その出力方法は、上記図２にあわせて記述された出力方法と一致してもよい。例えば、それぞれ撮像機器自身、ユーザ端末自身あるいはウェアラブル機器自身を介して注意情報を出力して、ビデオ情報異常注意を促すことができる。また、当該方法が撮像機器に用いられる場合、注意情報をユーザ端末あるいはウェアラブル機器へ出力してもよい。これにより、ユーザ端末あるいはウェアラブル機器を介してビデオ情報異常注意を促すことができ、ユーザのビデオ異常に対する遠隔監視が便利になる。別の実施形態では、当該方法がユーザ端末に用いられる場合、注意情報をウェアラブル機器へ出力してもよい。これにより、ユーザに装着されたウェアラブル機器を介してビデオ情報異常注意を促すことができ、ユーザがユーザ端末を所持していない場合にも、ビデオ監視異常に対する注意を直ちに得ることができる。
【００６０】
好ましくは、当該方法は、さらに、ビデオ情報に異常顔情報および危険物情報が含まれていない場合、注意情報を出力しないことを含んでもよい。
【００６１】
図４Ａ〜図４Ｃは、図３に示すビデオ異常情報注意方法を実施する際におけるシーン模式図である。図４Ａに示すように、撮像機器１１０で撮影されたビデオ情報に「匕首」のような危険物情報が含まれている場合、ユーザ端末１２０は、自身が有するディスプレイスクリーンを介して異常注意を促す。例えば、「カメラヘッドが画面異常を撮影した」の通知を表示する。または、図４Ｂや図４Ｃに示すように、撮像機器１１０で撮影されたビデオ情報に「匕首」のような危険物情報が含まれている場合、ユーザ端末１２０は、自身が有するディスプレイスクリーンを介して異常注意を促す。例えば、「カメラヘッドが画面異常を撮影した」の通知を表示し、注意情報をウェアラブル機器１３０へ出力し、ウェアラブル機器１３０を介して異常注意を促してもよい。ただし、図４Ｂに示すように、ディスプレイスクリーンが配置されていないウェアラブル機器１３０について、例えば、点灯の方式で異常注意を促してもよい。また、図４Ｃに示すように、ディスプレイスクリーンが配置されたウェアラブル機器１３０について、ウェアラブル機器１３０上に配置されたディスプレイスクリーンを介して注意情報を出力してもよい。例えば、「カメラヘッドが画面異常を撮影した」の通知を表示して、異常注意を促す。
【００６２】
図５Ａ〜図５Ｃは、図３に示すビデオ異常情報注意方法を実施する際における別のシーン模式図である。所定の顔情報（即ち、所定の第１の顔情報）が図５Ａに示すようにすれば、当該所定の顔情報が安全な人の顔を表す顔情報である。よって、図３に示すビデオ異常情報注意方法によれば、図５Ｂに示すように、撮像機器１１０で撮影されたビデオ情報に異常顔情報が含まれていると（図５Ａに示す所定の顔情報にマッチしなかった）、ユーザ端末１２０は、自身が有するディスプレイスクリーンを介して異常注意を促す。例えば、「カメラヘッドが画面異常を撮影した」の通知を表示する。または、図５Ｃに示すように、撮像機器１１０で撮影されたビデオ情報に異常顔情報が含まれていると（図５Ａに示す所定の顔情報にマッチしなかった）、ユーザ端末１２０は、自身が有するディスプレイスクリーンを介して異常注意を促す。例えば、「カメラヘッドが画面異常を撮影した」の通知を表示し、注意情報をウェアラブル機器１３０へ出力して、ウェアラブル機器１３０を介して異常注意を促してもよい（例えば、点灯の方式で異常注意を促す）。
【００６３】
図６は、別の実施例によるビデオ異常情報注意方法を示すフローチャートである。当該方法は、撮像機器（例えば、図１Ａと図１Ｂに示す撮像機器１１０）、ユーザ端末（例えば、図１Ａと図１Ｂに示すユーザ端末１２０）、ウェアラブル機器（例えば、図１Ｂに示すウェアラブル機器１３０）のうちの少なくとも１つを含んでもよい。図６に示すように、当該方法は、以下のステップを含んでもよい。
【００６４】
ステップＳ６０１では、ビデオ情報を取得する。当該ステップＳ６０１の実施は、上記図２にあわせて記述されたステップＳ２０１の実施と同じである。
【００６５】
ステップＳ６０２では、異物特徴情報をビデオ情報から抽出する。
【００６６】
ステップＳ６０３では、抽出された異物特徴情報が顔特徴情報であるかどうかを判断する。当該ステップＳ６０２およびステップＳ６０３の実施は、上記図３にあわせて記述されたステップＳ３０２およびステップＳ３０３の実施と同じである。
【００６７】
ステップＳ６０４では、抽出された異物特徴情報が顔特徴情報である場合、抽出された異物特徴情報が所定の顔情報にマッチするかどうかを判断する。ただし、前記所定の顔情報は、危険な人の顔を表すために用いられる。
【００６８】
ステップＳ６０５では、抽出された異物特徴情報が前記所定の顔情報にマッチしなかった場合、前記ビデオ情報に異常顔情報が含まれていないと特定する。
【００６９】
ステップＳ６０６では、抽出された異物特徴情報が前記所定の顔情報にマッチした場合、前記ビデオ情報に異常顔情報が含まれていると特定する。
【００７０】
当該実施形態では、ステップＳ６０４での所定の顔情報は、予め設定された、危険な人の顔を表すための顔情報であってもよい。当該所定の顔情報は、「所定の第２の顔情報」と称してもよい。当該所定の第２の顔情報は、１つまたは複数の、危険な人の顔を表す顔情報を含んでもよい。こうして、抽出された異物特徴情報が所定の第２の顔情報にマッチすることは、抽出された異物特徴情報が所定の第２の顔情報のうちの１つにマッチすることを含んでもよい。この場合に、ビデオ情報に異常顔情報が含まれていると特定する。また、抽出された異物特徴情報が所定の第２の顔情報にマッチしないことは、抽出された異物特徴情報が所定の第２の顔情報のうちのいずれにもマッチしないことを含んでもよい。この場合に、ビデオ情報に異常顔情報が含まれていないと特定する。
【００７１】
ステップＳ６０７では、抽出された異物特徴情報が顔特徴情報ではない場合、抽出された異物特徴情報が所定の危険物情報にマッチするかどうかを判断する。
【００７２】
ステップＳ６０８では、抽出された異物特徴情報が前記所定の危険物情報にマッチしなかった場合、前記ビデオ情報に危険物情報が含まれていないと特定する。
【００７３】
ステップＳ６０９では、抽出された異物特徴情報が前記所定の危険物情報にマッチした場合、前記ビデオ情報に危険物情報が含まれていると特定する。当該ステップＳ６０７乃至ステップＳ６０９の実施は、上記図３にあわせて記述されたステップＳ３０７乃至ステップＳ３０９の実施と同じである。
【００７４】
ステップＳ６１０では、ビデオ情報に異常顔情報あるいは危険物情報が含まれている場合、注意情報を出力し、当該注意情報は、ビデオ情報に異常があることを指示するために用いられる。
【００７５】
注意情報を出力する際、その出力方法は、上記図２にあわせて記述された出力方法に一致してもよい。例えば、それぞれ撮像機器自身、ユーザ端末自身あるいはウェアラブル機器自身を介して注意情報を出力し、ビデオ情報異常注意を促すことができる。また、当該方法が撮像機器に用いられる場合、注意情報をユーザ端末あるいはウェアラブル機器へ出力してもよい。これにより、ユーザ端末あるいはウェアラブル機器を介してビデオ情報異常注意を促すことができ、ユーザのビデオ異常に対する遠隔監視が便利になる。別の実施形態では、当該方法がユーザ端末に用いられる場合、注意情報をウェアラブル機器へ出力してもよい。これにより、ユーザに装着されたウェアラブル機器を介してビデオ情報異常注意を促すことができ、ユーザがユーザ端末を所持していない場合にも、ビデオ監視異常に対する注意を直ちに得ることができる。
【００７６】
好ましくは、当該方法は、さらに、ビデオ情報に異常顔情報および危険物情報が含まれていない場合、注意情報を出力しないことを含んでもよい。
【００７７】
図７Ａ〜図７Ｃは、図６に示すビデオ異常情報注意方法を実施する際におけるシーン模式図である。所定の顔情報（即ち、所定の第２の顔情報）が図７Ａに示すようにすれば、当該所定の顔情報が危険な人の顔を表す顔情報である。よって、図６に示すビデオ異常情報注意方法によれば、図７Ｂに示すように、撮像機器１１０で撮影されたビデオ情報に異常顔情報が含まれると（図７Ａに示す所定の顔情報にマッチする）、ユーザ端末１２０は、自身が有するディスプレイスクリーンを介して異常注意を促す。例えば、「カメラヘッドが画面異常を撮影した」の通知を表示する。または、図７Ｃに示すように、撮像機器１１０で撮影されたビデオ情報に異常顔情報が含まれると（図７Ａに示す所定の顔情報にマッチする）、ユーザ端末１２０は、自身が有するディスプレイスクリーンを介して異常注意を促す。例えば、「カメラヘッドが画面異常を撮影した」の通知を表示し、注意情報をウェアラブル機器１３０へ出力し、ウェアラブル機器１３０を介して異常注意を促してもよい（例えば、点灯の方式で異常注意を促す）。
【００７８】
図８は、別の実施例によるビデオ異常情報注意方法を示すフローチャートである。当該方法は、撮像機器（例えば、図１Ａと図１Ｂに示す撮像機器１１０）、ユーザ端末（例えば、図１Ａと図１Ｂに示すユーザ端末１２０）、ウェアラブル機器（例えば、図１Ｂに示すウェアラブル機器１３０）のうちの少なくとも１つに適用可能である。図８に示すように、当該方法は、以下のステップを含んでもよい。
【００７９】
ステップＳ８０１では、ビデオ情報を取得する。当該ステップＳ８０１の実施は、上記図２にあわせて記述されたステップＳ２０１の実施と同じである。
【００８０】
ステップＳ８０２では、所定時間帯内で、異物特徴情報をビデオ情報から抽出する。
【００８１】
前記所定時間帯は、予め定義されてもよい。例えば、撮像機器１１０は、家に取り付けられ、家の環境に関するビデオ情報を撮影する。よって、ユーザが家にいない時間、例えば、勤務時間（例えば、８:００から１９:００）を前記所定時間帯として定義してもよい。こうして、当該時間帯内のビデオ情報に対して異常注意を促してもよい。
【００８２】
ステップＳ８０３では、抽出された異物特徴情報が顔特徴情報であるかどうかを判断する。当該ステップＳ８０３の実施は、上記図３にあわせて記述されたステップＳ３０３の実施と同じである。
【００８３】
ステップＳ８０４では、抽出された異物特徴情報が顔特徴情報である場合、前記ビデオ情報に異常顔情報が含まれていると特定する。
【００８４】
ステップＳ８０５では、抽出された異物特徴情報が顔特徴情報ではない場合、抽出された異物特徴情報が所定の危険物情報にマッチするかどうかを判断する。
【００８５】
ステップＳ８０６では、抽出された異物特徴情報が前記所定の危険物情報にマッチしなかった場合、前記ビデオ情報に異常顔情報および危険物情報が含まれていないと特定する。
【００８６】
ステップＳ８０７では、抽出された異物特徴情報が前記所定の危険物情報にマッチした場合、前記ビデオ情報に危険物情報が含まれていると特定する。
【００８７】
ステップＳ８０８では、ビデオ情報に異常顔情報あるいは危険物情報が含まれている場合、注意情報を出力し、当該注意情報は、ビデオ情報に異常があることを指示するために用いられる。
【００８８】
注意情報を出力する際、その出力方法は、上記図２にあわせて記述された出力方法に一致してもよい。例えば、それぞれ撮像機器自身、ユーザ端末自身あるいはウェアラブル機器自身を介して注意情報を出力し、ビデオ情報異常注意を促すことができる。また、当該方法が撮像機器に用いられる場合、注意情報をユーザ端末あるいはウェアラブル機器へ出力してもよい。これにより、ユーザ端末あるいはウェアラブル機器を介してビデオ情報異常注意を促すことができ、ユーザのビデオ異常に対する遠隔監視が便利になる。別の実施形態では、当該方法がユーザ端末に用いられる場合、注意情報をウェアラブル機器へ出力してもよい。これにより、ユーザに装着されたウェアラブル機器を介してビデオ情報異常注意を促すことができ、ユーザがユーザ端末を所持していない場合にも、ビデオ監視異常に対する注意を直ちに得ることができる。
【００８９】
この方式により、ユーザが監視領域にいないとき、監視領域の異常状況についてユーザへ異常注意を促すことができる。この期間内において撮像機器で撮影されたビデオ画面に顔または危険物が出現すると、ビデオ情報に異常顔情報あるいは危険物が含まれていると確認し、注意を促す。ユーザが監視領域にいるとき、ユーザへ異常注意を促さなくてもよい。こうして、必要以上の注意を避ける一方、機器の消費電力を低減することができる。
【００９０】
好ましくは、当該方法は、さらに、ビデオ情報に異常顔情報および危険物情報が含まれていない場合、注意情報を出力しないことを含んでもよい。
【００９１】
本発明では、複数の方式で所定の顔情報（予め設定された、安全な人の顔を表すための第１の顔情報、および、予め設定された、危険な人の顔を表すための第２の顔情報を含む）あるいは危険物情報を取得してもよい。
【００９２】
ある実施形態では、写真撮り装置で撮影されたピクチャから所定の顔情報あるいは危険物情報を取得してもよい。ただし、写真撮り装置は、例えば、撮像機器１１０であってもよいし、ユーザ端末あるいはウェアラブル機器が有するカメラヘッドであってもよい。例えば、ユーザ端末は、自身が有するカメラヘッドを使用して顔ピクチャあるいは危険物ピクチャを撮影してから、当該カメラヘッドで撮影された顔ピクチャから顔情報を前記所定の顔情報として抽出し、または、当該カメラヘッドで撮影された危険物ピクチャから危険物情報を抽出してもよい。
【００９３】
別の実施形態では、ピクチャライブラリにおけるピクチャから所定の顔情報あるいは危険物情報を取得してもよい。ただし、当該ピクチャライブラリは、例えば、ユーザ端末自身に記憶されたピクチャライブラリ、撮像機器自身に記憶されたピクチャライブラリ、ウェアラブル機器自身に記憶されたピクチャライブラリ、または、他の任意の装置に記憶されたピクチャライブラリ等であってもよい。当該ピクチャライブラリに少なくとも１つのピクチャが記憶されている。こうして、ピクチャライブラリにおける既存のピクチャから所定の顔情報あるいは危険物情報を含むピクチャを候補として選択し、当該候補ピクチャから前記所定の顔情報あるいは前記危険物情報を抽出してもよい。
【００９４】
これにより、危険物、安全な人の顔、危険な人の顔に対するユーザ定義が可能となり、異なるユーザの使用需要に応える。
【００９５】
図９は、別の実施例によるビデオ異常情報注意方法を示すフローチャートである。図９に示すように、当該方法は、以下のステップを含んでもよい。
【００９６】
ステップＳ９０１では、ビデオ情報を取得する。
【００９７】
ステップＳ９０２では、ビデオ情報に異常顔情報あるいは危険物情報が含まれているかどうかを判断する。当該ステップＳ９０１乃至ステップＳ９０２の実施は、上記図２にあわせて記述されたステップＳ２０１乃至ステップＳ２０２の実施と同じである。
【００９８】
ステップＳ９０３では、ビデオ情報に異常顔情報あるいは危険物情報が含まれている場合、ビデオ情報に含まれる異常顔情報あるいは危険物情報を表示する。
【００９９】
図９に示す方法は、例えば、ユーザ端末（例えば、図１Ａと図１Ｂに示すユーザ端末１２０）あるいはウェアラブル機器（例えば、図１Ｂに示すウェアラブル機器１３０）に適用可能である。こうして、ビデオ情報に異常が出現する場合、ユーザ端末あるいはウェアラブル機器が有するディスプレイスクリーンを介して現在ビデオ情報に含まれる異常顔情報あるいは危険物情報を表示可能であるため、ユーザへ異常に注意を促すとともに、ユーザが監視領域の真実状況をより直感的で直ちに把握することができる。
【０１００】
図１０は、一実施例によるビデオ異常情報注意方法を示すフローチャートである。当該方法は、ユーザ機器に適用可能である。ただし、前記ユーザ機器は、ユーザ端末（例えば、図１Ａと図１Ｂに示すユーザ端末１２０）および／またはウェアラブル機器（例えば、図１Ｂに示すウェアラブル機器１３０）を備えてもよい。図１０を参照すると、当該方法は、以下のステップを含んでもよい。
【０１０１】
ステップＳ１００１では、注意情報を受信する。
【０１０２】
ステップＳ１００２では、前記注意情報に基づいて注意を促す。ただし、前記注意情報は、以下の方法で取得されたものである。つまり、ビデオ情報を取得し、前記ビデオ情報に異常顔情報あるいは危険物情報が含まれているかどうかを判断し、且つ、ビデオ情報に異常顔情報あるいは危険物情報が含まれている場合、注意情報を出力し、当該注意情報は、ビデオ情報に異常があることを指示するために用いられる。
【０１０３】
これにより、異常人物あるいは危険物がビデオ画面に出現するとき、ユーザ機器を介してユーザへ異常注意を促すことができるため、ユーザが異常状況を直ちに把握することができる。
【０１０４】
図１１は、一実施例によるビデオ異常情報注意装置を示すブロック図である。図１１を参照すると、当該装置は、ビデオ情報を取得するための取得モジュール１１０１と、ビデオ情報に異常顔情報あるいは危険物情報が含まれているかどうかを判断するための判断モジュール１１０２と、ビデオ情報に異常顔情報あるいは危険物情報が含まれている場合、ビデオ情報に異常があることを示す注意情報を出力するためのおよび出力モジュール１１０３とを備えてもよい。
【０１０５】
好ましくは、前記ビデオ情報は、撮像機器によってリアルタイムに撮影されたものである。
【０１０６】
図１２は、別の実施例によるビデオ異常情報注意装置を示すブロック図である。図１２を参照すると、前記判断モジュール１１０２は、異物特徴情報を前記ビデオ情報から抽出するための第１の抽出サブモジュール１２０１と、抽出された異物特徴情報が顔特徴情報であるかどうかを判断するための第１の判断サブモジュール１２０２と、抽出された異物特徴情報が顔特徴情報である場合、抽出された異物特徴情報が安全な人の顔を表すための所定の顔情報にマッチするかどうかを判断するための第２の判断サブモジュール１２０３と、抽出された異物特徴情報が前記所定の顔情報にマッチした場合、前記ビデオ情報に異常顔情報が含まれていないと特定するための第１の異常顔情報特定サブモジュール１２０４と、抽出された異物特徴情報が前記所定の顔情報にマッチしなかった場合、前記ビデオ情報に異常顔情報が含まれていると特定するための第２の異常顔情報特定サブモジュール１２０５と、抽出された異物特徴情報が顔特徴情報ではない場合、抽出された異物特徴情報が所定の危険物情報にマッチするかどうかを判断するための第３の判断サブモジュール１２０６と、抽出された異物特徴情報が前記所定の危険物情報にマッチしなかった場合、前記ビデオ情報に危険物情報が含まれていないと特定するための第１の危険物情報特定サブモジュール１２０７と、抽出された異物特徴情報が前記所定の危険物情報にマッチした場合、前記ビデオ情報に危険物情報が含まれていると特定するための第２の危険物情報特定サブモジュール１２０８と、を備えてもよい。
【０１０７】
図１３は、別の実施例によるビデオ異常情報注意装置を示すブロック図である。図１３を参照すると、前記判断モジュール１１０２は、異物特徴情報を前記ビデオ情報から抽出するための第２の抽出サブモジュール１３０１と、抽出された異物特徴情報が顔特徴情報であるかどうかを判断するための第４の判断サブモジュール１３０２と、抽出された異物特徴情報が顔特徴情報である場合、抽出された異物特徴情報が危険な人の顔を表すための所定の顔情報にマッチするかどうかを判断するための第５の判断サブモジュール１３０３と、抽出された異物特徴情報が前記所定の顔情報にマッチしなかった場合、前記ビデオ情報に異常顔情報が含まれていないと特定するための第３の異常顔情報特定サブモジュール１３０４と、抽出された異物特徴情報が前記所定の顔情報にマッチした場合、前記ビデオ情報に異常顔情報が含まれていると特定するための第４の異常顔情報特定サブモジュール１３０５と、抽出された異物特徴情報が顔特徴情報ではない場合、抽出された異物特徴情報が所定の危険物情報にマッチするかどうかを判断するための第６の判断サブモジュール１３０６と、抽出された異物特徴情報が前記所定の危険物情報にマッチしなかった場合、前記ビデオ情報に危険物情報が含まれていないと特定するための第３の危険物情報特定サブモジュール１３０７と、抽出された異物特徴情報が前記所定の危険物情報にマッチした場合、前記ビデオ情報に危険物情報が含まれていると特定するための第４の危険物情報特定サブモジュール１３０８と、を備えてもよい。
【０１０８】
図１４は、別の実施例によるビデオ異常情報注意装置を示すブロック図である。図１４を参照すると、前記判断モジュール１１０２は、所定時間帯内で、異物特徴情報を前記ビデオ情報から抽出するための第３の抽出サブモジュール１４０１と、抽出された異物特徴情報が顔特徴情報であるかどうかを判断するための第７の判断サブモジュール１４０２と、抽出された異物特徴情報が顔特徴情報である場合、前記ビデオ情報に異常顔情報が含まれていると特定するための第５の異常顔情報特定サブモジュール１４０３と、抽出された異物特徴情報が顔特徴情報ではない場合、抽出された異物特徴情報が所定の危険物情報にマッチするかどうかを判断するための第８の判断サブモジュール１４０４と、抽出された異物特徴情報が前記所定の危険物情報にマッチしなかった場合、前記ビデオ情報に異常顔情報および危険物情報が含まれていないと特定するための第５の危険物情報特定サブモジュール１４０５と、抽出された異物特徴情報が前記所定の危険物情報にマッチした場合、前記ビデオ情報に危険物情報が含まれていると特定するための第６の危険物情報特定サブモジュール１４０６と、を備えてもよい。
【０１０９】
好ましくは、前記所定の顔情報あるいは前記所定の危険物情報は、写真撮り装置が撮影したピクチャから取得されたものであり、または、前記所定の顔情報あるいは前記所定の危険物情報は、ピクチャライブラリにおけるピクチャから取得されたものである。
【０１１０】
好ましくは、図１１〜図１４に示すビデオ異常情報注意装置は、撮像機器（例えば、図１Ａと図１Ｂに示す撮像機器１１０）、ユーザ端末（例えば、図１Ａと図１Ｂに示すユーザ端末１２０）、ウェアラブル機器（例えば、図１Ｂに示すウェアラブル機器１３０）のうちの１つに設けられてもよい。
【０１１１】
図１５は、別の実施例によるビデオ異常情報注意装置を示すブロック図である。図１５を参照すると、前記出力モジュール１１０３は、前記ビデオ情報に含まれる異常顔情報あるいは危険物情報を表示するための表示サブモジュール１５０１を備えてもよい。
【０１１２】
好ましくは、図１５に示すビデオ異常情報注意装置がユーザ機器に設けられてもよい。ただし、前記ユーザ機器は、ユーザ端末（例えば、図１Ａと図１Ｂに示すユーザ端末１２０）および／またはウェアラブル機器（例えば、図１Ｂに示すウェアラブル機器１３０）を備えてもよい。
【０１１３】
上記実施例における装置について、各モジュールが操作を実行する具体的な方式が当該方法に関する実施例で詳細に記述されたため、ここで詳細に説明しない。
【０１１４】
図１６は、一実施例によるビデオ異常情報注意装置１６００を示すブロック図である。例えば、装置１６００は、撮像機器（例えば、スマートビデオカメラ、スマートカメラヘッド等）、携帯電話、コンピュータ、デジタル放送端末、メッセージ送受信機器、ゲームコンソール、タブレットデバイス、医療機器、フィットネス機器、ＰＤＡ、ウェアラブル機器（例えば、スマートブレスレット、スマートウォッチ等）等であってもよい。
【０１１５】
図１６を参照すると、装置１６００は、処理ユニット１６０２、メモリ１６０４、電源ユニット１６０６、マルチメディアユニット１６０８、オーディオユニット１６１０、入力／出力（Ｉ／Ｏ）インターフェース１６１２、センサユニット１６１４、および、通信ユニット１６１６のうちの１つまたは複数を含んでもよい。
【０１１６】
処理ユニット１６０２は、通常は、表示、電話発呼、データ通信、カメラ操作および記録操作に関連する操作のような、装置１６００の全般操作を制御する。処理ユニット１６０２は、上記ビデオ異常情報注意方法の全部または一部のステップを実施させるように、指令を実行するための１つまたは複数のプロセッサ１６２０を含んでもよい。また、処理ユニット１６０２は、処理ユニット１６０２と他のユニットとの間の相互作用を容易にするように、１つ又は複数のモジュールを含んでもよい。例えば、処理ユニット１６０２は、マルチメディアユニット１６０８と処理ユニット１６０２との間の相互作用を容易にするように、マルチメディアモジュールを含んでもよい。
【０１１７】
メモリ１６０４は、各タイプのデータを記憶して装置１６００での操作をサポートするように構成される。これらのデータの例示は、装置１６００で操作するための任意のアプリケーションもしくは方法の指令、連絡人データ、電話帳データ、メッセージ、ピクチャ、ビデオなどを含む。メモリ１６０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１１８】
電源ユニット１６０６は、装置１６００のユニットのそれぞれに電力を供給する。電源ユニット１６０６は、電源管理システム、１つまたは複数の電源、並びに、他の装置１６００用の電力を生成、管理および配分するに関する他のユニットを含んでもよい。
【０１１９】
マルチメディアユニット１６０８は、前記装置１６００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、ディスプレイスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、タッチあるいはスライド操作と関連する継続時間および圧力をさらに検出することができる。一部の実施例では、マルチメディアユニット１６０８は、１つのフロントカメラおよび/またはバックカメラを含む。装置１６００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１２０】
オーディオユニット１６１０は、オーディオ信号を出力および/または入力するように構成される。例えば、オーディオユニット１６１０は、マイク（ＭＩＣ）を備え、オーディオ出力機器１６００が操作モード、例えば、発呼モード、記録モードおよび音声識別モードであるとき、マイクは、外部オーディオ信号を受信するように構成される。受信されたオーディオ信号は、さらに、メモリ１６０４に格納される、または、通信ユニット１６１６を介して送信されることができる。一部の実施例では、オーディオユニット１６１０は、オーディオ信号を出力するためのスピーカをさらに備える。
【０１２１】
Ｉ／Ｏインターフェース１６１２は、処理ユニット１６０２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１２２】
センサユニット１６１４は、様々な側面での状態推定を装置１６００に供給するための１つまたは複数のセンサを含む。例えば、センサユニット１６１４は、装置１６００のオン/オフ状態、ユニットの相対位置を検出することができ、前記ユニットは、例えば、装置１６００のディスプレイおよびキーパッドである。センサユニット１６１４は、さらに、装置１６００もしくは装置１６００の１つのユニットの位置変更、ユーザと装置１６００との接触の存在もしくは非存在、装置１６００の方位もしくは加速/減速および装置１６００の温度変化をさらに検出することができる。センサユニット１６１４は、如何なる物理的接触もないとき、近辺にある物体の存在を検出するための近接センサを含んでもよい。センサユニット１６１４は、さらに、イメージングアプリケーションに使用される光センサ、例えばＣＭＯＳまたはＣＣＤ画像センサを含んでもよい。一部の実施例では、当該センサユニット１６１４は、さらに、加速度センサ、ジャイロセンサ、磁気センサ、圧力センサ、または温度センサを含んでもよい。
【０１２３】
通信ユニット１６１６は、装置１６００と他の機器間の無線または有線方式の通信ができるように構成される。装置１６００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット１６１６は、外部ブロードキャスト管理システムからのブロードキャスト信号またはブロードキャスト関連情報をブロードキャストチャネルを介して受信する。ある実施例では、通信ユニット１６１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１２４】
実施例では、装置１６００は、上記ビデオ異常情報注意方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１２５】
実施例では、指令を含む非一時的コンピュータ読み取り可能な記憶媒体、例えば、指令を含むメモリ１６０４をさらに提供し、上記指令が装置１６００のプロセッサ１６２０によって実行されることで上記方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【０１２６】
当業者は、明細書を考慮し、ここに公開された開示を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１２７】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１２８】
本願は、出願番号が２０１５１０４６１５２０.７であり、出願日が２０１５年７月３１日である中国特許出願に基づいて優先権を主張する。当該中国特許出願の全ての内容は、ここに参考として引用される。
【図１Ａ】
2017531927.tif 000003
【図１Ｂ】
2017531927.tif 000004
【図２】
2017531927.tif 000005
【図３】
2017531927.tif 000006
【図４Ａ】
2017531927.tif 000007
【図４Ｂ】
2017531927.tif 000008
【図４Ｃ】
2017531927.tif 000009
【図５Ａ】
2017531927.tif 000010
【図５Ｂ】
2017531927.tif 000011
【図５Ｃ】
2017531927.tif 000012
【図６】
2017531927.tif 000013
【図７Ａ】
2017531927.tif 000014
【図７Ｂ】
2017531927.tif 000015
【図７Ｃ】
2017531927.tif 000016
【図８】
2017531927.tif 000017
【図９】
2017531927.tif 000018
【図１０】
2017531927.tif 000019
【図１１】
2017531927.tif 000020
【図１２】
2017531927.tif 000021
【図１３】
2017531927.tif 000022
【図１４】
2017531927.tif 000023
【図１５】
2017531927.tif 000024
【図１６】
2017531927.tif 000025
【国際調査報告】
2017531927.tif 000026
2017531927.tif 000027
2017531927.tif 000028
2017531927.tif 000029